(57)【要約】【課題】  容器の構造の制限が少なく、容器の外壁を構成している容器本体２と、その内面を覆う表素材３との分離回収が可能である射出成形容器１を提供する。【解決手段】  成形型に射出されるプラスチック樹脂材料を基材として形成される容器本体と、この容器本体２の内面を覆う表素材３とを備え、表素材３は、容器本体２の成形に先立ち前記成形型内に収められ且つこの成形型に対する樹脂材料の射出に伴い容器本体２に積層されている射出成形容器１であって、前記容器本体のプラスチック樹脂に離型促進剤を練り込み、ブリードアウトさせる。【選択図】  図７
2005206188.tif 000002
【特許請求の範囲】
【請求項１】
成形型に射出されるプラスチック樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に積層されている射出成形容器であって、
前記表素材と前記容器本体との接着強度を低下させるために、前記容器本体のプラスチック樹脂に離型促進剤を練り込み、ブリードアウトさせることにより離型層が形成されることを特徴とする射出成形容器。
【請求項２】
成形型に射出されるプラスチック樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に積層されている射出成形容器であって、
前記表素材は、プラスチック樹脂製であり、この表素材と前記容器本体のプラスチック樹脂は異種系樹脂で積層されていることを特徴とする射出成形容器。
【請求項３】
成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着固定されている射出成形容器であって、
前記容器本体の内面を覆う表素材の前記容器と接する側に離型促進剤を塗布し、容器本体と表素材間の接着強度の低下させることを特徴とする射出成形容器。
【請求項４】
前記容器本体の基材となる樹脂材料の融点は、前記成形型内に収められた表素材を溶融し得る温度に較べて低い融点であることを特徴とする請求項１から請求項３の何れかに記載の射出成形容器。
【請求項５】
前記離型促進剤は、界面活性剤としてグリセリン脂肪酸エステル、ジメチルアルキルアンモニウムクロライド、アルキルスルホン塩酸のうち少なくともいずれかを含むことを特徴とする請求項１か又は請求項２若しくは請求項４の何れかに記載の射出成形容器。
【請求項６】
前記離型促進剤は、滑剤として、シリコーン、脂肪族炭化水素、高級脂肪酸、アルコール脂肪酸エステルの何れかを含むことを特徴とする請求項１又は請求項３若しくは請求項４の何れかに記載の射出成形容器。
【請求項７】
前記樹脂材料の射出によって形成される容器本体には開口端が設けられ、且つその開口端には開口端の周囲に沿って延びるフランジが形成され、
前記フランジの局所には、このフランジの少なくとも一部を切除するためのＶ字状又はＵ字状の薄肉部が形成されており、
前記容器本体に接着固定される表素材は、前記薄肉部の形成されているフランジの局所を覆い設けられていることを特徴とする請求項１から請求項６の何れかに記載の射出成形容器。
【請求項８】
成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着固定されている射出成形容器の製造方法であって、
前記容器本体の基材をなす樹脂材料の射出に先立ち、前記容器本体と前記表素材との直接の接着に較べてその接着性を低下させるための離型促進剤を前記表素材の表面に設けて
おくことを特徴とする射出成形容器の製造方法。
【請求項９】
前記成形型に表素材を装着した後に、前記離型促進剤を前記表素材に設けていることを特徴とする請求項８に記載の射出成形容器の製造方法。
【請求項１０】
成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着される射出成形容器の製造方法であって、
前記容器本体の基材をなす樹脂材料に、前記容器本体と前記表素材との直接の接着に較べて、その接着性を低下させるための離型促進剤を含有しておき、この離型促進剤の含有した樹脂材料を前記成形型内に射出していることを特徴とする射出成形容器の製造方法。
【請求項１１】
前記容器本体の基材をなす樹脂材料の射出に要する温度は、前記成形型内に収められる表素材の溶融し得る温度に較べて低い温度で行うことを特徴とする請求項８から請求項１０の何れかに記載の射出成形容器の製造方法。
【発明の詳細な説明】
【技術分野】
【０００１】
本発明は、容器本体と、その内側の射出成形容器に関し、より詳細には、射出成形によって形成される射出成形容器、並びにその製造方法に関する。
【背景技術】
【０００２】
近年、環境問題を鑑みて、家庭から排出される容器包装廃棄物の解決を図るために、予め外側容器本体の内側に剥離可能な内側容器を形成した二重容器が求められている。この二重容器によれば、内容物が一部付着して汚れている内側容器を分離して廃棄し、外側容器を分別回収することができ、リサイクルを推進することが可能となる。この種の容器として、例えば、下記特許文献１に示す二重容器が知られている。
【０００３】
この二重容器は、ガスバリヤー性材料からなる内側容器と断熱性材料からなる外側容器とを備え、内側容器には凸部が形成されているとともに、外側容器には、凹部が形成されている。この二重容器は、凸部が形成されている内側容器を射出成形金型内に装着させて、発泡ポリスチレン容器を成形することにより形成する。この外側容器を形成する発泡ポリスチレンは、柔らかさと脆さを備えていることが特長であり、通常は、前記内側容器の凸部と外側容器の凹部とが互いに噛み合って接合されており、互いの容器を分離する際には、前記発泡ポリスチレンの特長を生かして、無理強いの力により相互に引っ張り、凹部と凸部の接合を破壊して分離させていた。
【０００４】
しかし、前記二重容器は、内側容器の凸部と外側容器の凹部とを互いに噛み合わせることにより接合しているため、容器本体となる外側容器は柔らかくて脆い発泡性の樹脂に限定されていた。また、前記二重容器では、十分な接合強度を確保し得る強度を備えた突起を内側容器に形成する必要があるため、この突起を支える内側容器にも、ある程度の厚みを持たせて機械的強度を確保する必要があり、容器の構造に制限を伴っていた。さらに、その材質の選択においても、比較的硬度の高い素材を選択せざる得ず、容器の材質にも種々の制限が伴い、例えば、内側容器にフィルム等薄膜状素材を使用するは困難であった。
【特許文献１】特開平８−３１０５６３号公報
【発明の開示】
【発明が解決しようとする課題】
【０００５】
本発明は、上記した技術的背景を考慮してなされたものであり、容器の構造の制限が少なく、容器の外壁を構成している容器本体と、その内面を覆う表素材との分離回収が可能である射出成形容器を提供することを技術的課題とする。
【課題を解決するための手段】
【０００６】
上記した技術的課題を解決するため、本発明では以下の構成とした。
すなわち、本発明は、成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に積層されている射出成形容器であって、前記表素材と前記容器本体との接着強度を低下させるために、前記容器本体のプラスチック樹脂に離型促進剤を練り込み、ブリードアウトさせることにより離型層が形成されることを特徴とする射出成形容器である。
【０００７】
このように構成された本発明の射出成形容器は、前記容器本体のプラスチック樹脂に離型促進剤を練り込みブリードアウトさせることにより、表素材と容器本体との間、すなわち表素材と容器本体との接着面に、容器本体と表素材との接着性を低下させるための離型
層が設けられている。このため、容器本体と表素材の接着性を適正値に抑えることが可能になり、例えば、容器の使用後に、表素材を容器本体から容易に剥がし取ることが可能になる。また、本構成の採用によって、表素材には、容器本体に噛み合う突起等の物理的係合手段を設ける必要性がなくなることから、表素材は、収容物の収容に耐える得る必要最小限の厚みで足りる。すなわち、容器の構造上の制限が少なくなり、種々の構造とすることが可能となる。また、構造上の制限が少なくなることから、材質の制限も少なくなり、表素材にフィルム状の薄膜状表素材を使用する事も可能となる。
【０００８】
なお、ここで離型促進剤とは、例えば、容器本体と表素材の相溶（互いに溶け合うこと）を抑制し得る添加物、また、容器本体と表素材の接着強度を、離型促進剤含有前の容器本体と表素材の接着強度に較べて低下させる添加物等に相当する。
【０００９】
また、本発明に係る射出成形容器は、成形型に射出されるプラスチック樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に積層されている射出成形容器であって、前記表素材は、プラスチック樹脂製であり、この表素材と前記容器本体のプラスチック樹脂は異種系樹脂で積層されていることを特徴としてもよい。
【００１０】
このように構成された本発明の射出成形容器は、前記容器本体及び表素材の異種系樹脂を積層させることにより、互いの接着強度が弱くなり、接着強度が弱く層間剥離が容易な疑似接着の複合容器となり、容易に容器本体と表素材を分離することが可能となる。また、本構成の採用によって、表素材には、容器本体に噛み合う突起等の物理的係合手段を設ける必要性がなくなることから、表素材は、収容物の収容に耐える得る必要最小限の厚みで足りる。すなわち、容器の構造上の制限が少なくなり、種々の構造とすることが可能となる。さらに、前記容器本体と表素材は、異種系樹脂であればどのような組み合わせであっても良く、材質の制限も少なくすることが可能となる。
【００１１】
また、本願発明に係る射出成形容器は、成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着固定されている射出成形容器であって、前記容器本体の内面を覆う表素材の前記容器と接する側に離型促進剤を塗布し、容器本体と表素材間の接着強度の低下させることを特徴としてもよい。
【００１２】
この構成では、表素材の前記容器と接する側に離型促進剤を塗布させて、容器本体と表素材間の接着強度の低下させているため、容易に層間剥離させることができる。また、容器本体の基材となる樹脂材料の射出に伴い、容器本体と表素材との間に離型層が同時形成されることになる。また、本構成によれば、成形型に、離型促進剤が表面に設けられた表素材を収めた状態で容器本体の基材となる樹脂材料を射出するため、表素材に離型促進剤を塗布したものと、別途用意した容器本体とを張り合わせる場合に較べて、表素材のシワや歪みを大幅に減らすことが可能になる。
【００１３】
また、前記容器本体の基材となる樹脂材料の融点は、前記成形型内に収められた表素材を溶融し得る温度に較べて低い融点であるのが望ましい。
この構成では、容器本体の基材となる樹脂材料の射出時において、表素材と容器本体の相溶が回避されるため、表素材の剥離が一層容易になる。なお、ここで表素材を溶融し得る温度とは、表素材の熱容量や表素材の融点等によって、適宜定められる温度である。
【００１４】
また、前記離型促進剤は、滑剤として、シリコーン、脂肪族炭化水素、高級脂肪酸、ア
ルコール脂肪酸エステルの何れかを含む構成であってもよい。また、さらに好ましくは、滑剤として用いるアルコール脂肪酸エステルとして、１価又は多価のものが望ましい。また、脂肪族炭化水素としては、例えば、合成パラフィン、石油系ワックスが望ましい。
【００１５】
また、前記離型促進剤は、界面活性剤としてグリセリン脂肪酸エステル、ジメチルアルキルアンモニウムクロライド、アルキルスルホン塩酸のうち少なくともいずれかを含むことを特徴とする構成であってもよい。また、さらに好ましくは、陽イオン性や陰イオン性の界面活性剤が望ましい。
【００１６】
また、前記樹脂材料の射出によって形成される容器本体には開口端が設けられ、且つその開口端には開口端の周囲に沿って延びるフランジが形成され、
前記フランジの局所には、このフランジの少なくとも一部を切除するためのＶ字状又はＵ字状の薄肉部（脆弱部）が形成されており、
前記容器本体に接着固定される表素材は、前記薄肉部の形成されているフランジの局所を覆って設けられている構成であってもよい。
【００１７】
この構成では、容器本体が開口端を有する形状（例えば、カップ状、トレー状）をなし、さらに、その開口端の周囲には容器本体と一体にフランジが形成されている。また、フランジの局所には、このフランジの少なくとも一部を切除するための薄肉部が形成されており、表素材は、この薄肉部の形成されるフランジの局所を覆い設けられている。このため、薄肉部での切除後においても、その切除された箇所と容器本体（フランジを含む）は、表素材によって未だ連結された状態にある。よって、この切除された箇所を手指等で把持して表素材をフランジから引き剥がせば、表素材を剥がす際の開始位置すなわち剥がし代を表素材に容易に形成することが可能になる。
【００１８】
また、本発明は、下記の製造方法を提供する。
すなわち、本発明は、成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着固定されている射出成形容器の製造方法であって、
前記容器本体の基材をなす樹脂材料の射出に先立ち、前記容器本体と前記表素材との直接の接着に較べてその接着性を低下させるための離型促進剤を前記表素材の表面に設けておくことを特徴とする。
【００１９】
この製造方法によれば、離型促進剤を表素材の表面に例えば塗布した後に樹脂材料を成形型内に射出するため、射出時には、この離型促進剤が容器本体と表素材との間に介在して離型層を形成することになる。また、本製造方法では、離型促進剤が表面に設けられた表素材を成形型に収めた状態で、容器本体の基材となる樹脂材料を射出するため、例えば、離型促進剤の塗布された表素材と別途用意した容器本体とを張り合わせる場合に較べて、表素材のシワや弛みを大幅に減らすことが可能になる。
【００２０】
また、前記成形型に表素材を装着した後に、前記離型促進剤を前記表素材に設けてもよい。
この方法によれば、表素材を成形型にセットした状態で離型促進剤を付着させるため、例えば、フィルム状の表素材を用いた場合においても、表素材に離型促進剤を均一に付着させることが可能になる。
【００２１】
また、成形型に射出される樹脂材料を基材として形成される容器本体と、この容器本体の内面を覆う表素材とを備え、前記表素材は、前記容器本体の成形に先立ち前記成形型内に収められ且つこの成形型に対する前記樹脂材料の射出に伴い前記容器本体に接着される
射出成形容器の製造方法であって、
前記容器本体の基材をなす樹脂材料に、前記容器本体と前記表素材との直接の接着に較べて、その接着性を低下させるための離型促進剤を含有しておき、この離型促進剤の含有した樹脂材料を前記成形型内に射出してもよい。
【００２２】
この製造方法によれば、容器本体の基材をなす樹脂材料に離型促進剤が含有されているため、容器本体と表素材は互いに強く接着せず、表素材を容器本体から容易に剥がし取ることが可能になる。
【００２３】
また、前記容器本体の基材をなす樹脂材料の射出に要する温度は、前記成形型内に収められる表素材の溶融し得る温度に較べて低い温度で行ってもよい。
この製造方法では、容器本体の基材となる樹脂材料の射出において、表素材と容器本体との相溶が回避される。よって、表素材の剥離が、一層容易になる。なお、ここで表素材を溶融し得る温度とは、表素材の熱容量や表素材の融点等によって、適宜決定される温度である。
【００２４】
なお、上記した課題を解決するための手段に記載の各種内容は、本発明の課題や技術的思想を逸脱しない範囲で可能な限り組み合せることができる。
【発明の効果】
【００２５】
このように本発明は、容器の構造の制限が少なく、容器の外壁を構成している容器本体と、その内面を覆う表素材との分離回収が可能である射出成形容器を提供することができる。
【発明を実施するための最良の形態】
【００２６】
続いて、本発明の射出成形容器について、その好適な実施形態を説明する。
本実施の形態に示す射出成形容器１は、図１に示すように、プラスチック等の樹脂材料から形成される容器本体２と、この容器本体２の内周面にモールドされた表素材３とを備えて構成されている。
【００２７】
容器本体２は、長方形状の底部２ａと、この底部２ａの周縁から立ち上がる胴部２ｂと、胴部２ｂの開口端に沿って形成されたフランジ２ｃとを備えている。また、容器本体２は、図２及び図３に示す射出成型用の金型（成形型）１０を用いて形成される。
【００２８】
金型１０は、樹脂材料の射出口たるゲート１１が形成された雌型（キャビ型）１０ａと、雌型１０ａに嵌合してこの雌型１０ａとの間に容器本体２の外形に等しい中空部１０ｃ（キャビティー）を形成する雄型（コア型）１０ｂとを有し、ゲート１１を通じて金型１０内に樹脂材料を射出した後、この金型１０を冷却することで、この金型１０内に成型品たる容器本体２が形成される。
【００２９】
また、本実施の形態では、容器本体２との接着面をなす表素材３の表面（以下、外表面と称する）に離型促進剤を塗布し、この離型促進剤の塗布された表素材３を容器本体２の成形に先立ち金型１０の内部に収め、この表素材３が収められた金型１０内に樹脂材料を射出して、内面に表素材３のモールドされた射出成形容器を得ている。
【００３０】
表素材３は、図２に示すように、容器本体２の内面及び容器本体２のフランジ２ｃを覆う樹脂製のフィルムである。また、表素材３は、容器本体２の内部形状に近似した容器形状を有している。なお、この容器形状をなす表素材３は、例えば、真空成形、射出成形、積層成形、加圧成形、ブロー成形、押出成形等の種々の成形技術を用いて容器形状に形成されている。
【００３１】
また、表素材３は、例えば、食品等の梱包物を酸素、炭酸ガス、水蒸気等から遮断すべくバリヤ性に富む素材で形成されている。なお、一例を挙げれば、ポリエステルフィルム（ＡＰＥＴ）、ナイロン（Ｎｙ）、エチレン・酢酸ビニル共重合体ケン化物（ＥＶＯＨ）、ポリカーボネート（ＰＣ）、ポリビニルアルコール（ＰＶＡ）の単体若しくはその積層体からなる表素材、また、これらにポリ塩化ビニリデン（ＰＶＤＣ）を塗布した表素材などを例示できる。
【００３２】
また、本実施の形態では、表素材３の素材選択にあたり、容器本体２の基材をなす樹脂材料との接着性を加味して、その素材選択を行っている。
より詳しくは、容器本体２にポリプロピレン（ＰＰ）を採用する場合には、ポリプロピレンに対する接着性が非常に弱いポリエステルフィルム（ＰＥＴ）や延伸タイプのポリプロピレンフィルム（ＯＰＰ）を表素材として用いる。また、同様に、容器本体にポリスチレン（ＰＳ）を用いる場合には、ポリエチレン（ＰＥ）、ポリエステルフィルム（ＰＥＴ）、延伸タイプのポリプロピレンフィルム（ＯＰＰ）の表素材を用いる。また、容器本体２にポリスチレン（ＰＳ）を用いる場合には、耐衝撃性の高いポリスチレン（ＨＩＰＳ）を使うことが望ましい。
【００３３】
また、バリヤ性のみならず遮光性を求める場合には、アルミ箔等の箔状金属からなる表素材、プラスチック材料にアルミ又はシリカを蒸着してなる表素材、また、紙材又はプラスチック材料にカーボン又は遮光性のある顔料を塗布した表素材、紙材又はプラスチック材料に炭酸ガス若しくは水蒸気に対するバリヤ性を有するプラスチック材料を積層して形成した表素材、並びにこれら表素材が積層された積層体など、種々例示できる。
【００３４】
続いて、上記した射出成形容器１の製造方法について図２及び図３を参照して説明する。
まず、容器形状をなす表素材３の表面、より詳しくは、容器の成形時において容器本体２との接着面となる表素材３の外表面に滑剤および界面活性剤の何れかを主成分とする離型促進剤ｒを塗布する。
【００３５】
なお、滑剤としては、シリコーン、脂肪族炭化水素（例えば、合成パラフィン、石油系ワックス）、高級脂肪酸、一価又は多価のアルコール脂肪酸エステル等の何れかを含む滑剤が望ましい。また、界面活性剤としては、グリセリン脂肪酸エステルなどの非イオン性や陰イオン性の界面活性剤が望ましい。また、離型促進剤ｒの塗布方法としては、例えば、表素材３の外表面全体に離型促進剤ｒを塗布する方法が例示できる（図４参照）。
【００３６】
続いて、金型１０を開き、その雄型１０ｂに離型促進剤の塗布された表素材３をセットして金型１０を閉じる。なお、表素材３は、上述の如く容器本体２に近似した容器形状をなすため雄型１０ｂに対する遊びはさほどなく、表素材３は雄型１０ｂの表面に密着した状態で金型１０内に収容されることになる。また、本実施の形態では、この雄型１０ｂと表素材３内表面との密着性を高めるために表素材３を雄型１０ｂに向かって真空引きし、その密着性のさらなる向上を図っている。なお、図２中１２は、表素材３の真空引きに用いるバキューム通路である。
【００３７】
そして、この状態で金型１０に対する樹脂材料の射出作業を行う。なお、容器本体２の基材をなす樹脂材料の射出に要する温度は、金型１０内に収められる表素材３の溶融し得る温度に較べて低い温度で行うようにする。そして、中空部１０ｃ内の樹脂材料の硬化後に、再度、金型１０を開き射出成形品たる射出成形容器１を金型１０から取り外して作業を終える。
【００３８】
このように本実施の形態では、容器本体２の基材をなす樹脂材料の射出に先立ち、表素材３の外表面に離型促進剤ｒを塗布し、この離型促進剤ｒの塗布された表素材３を金型１０内に装着した後に、射出作業を行っている。よって、射出成形容器１の形成時には、容器本体２と表素材３との間に離型層が形成されるため、容器本体２から表素材３を容易に剥がし取ることが可能になる。
【００３９】
また、本発明の射出成形容器１によれば、離型促進剤ｒが表面に設けられた表素材３を金型１０に収めた状態で、容器本体２の基材となる樹脂材料を射出するため、離型促進剤ｒを塗布した表素材３と容器本体２とを個別に形成して張り合わせる場合に較べて、表素材３のシワや歪みを大幅に減らすことが可能になる。また、さらに望ましくは、表素材３を金型１０にセットした状態で離型促進剤ｒを塗布すれば、フィルム状をなす表素材３においても、離型促進剤ｒを均一に塗布することが可能になる。
【００４０】
なお、本実施の形態では、表素材３の離型性を向上させるべく、図１及び図５〜図７に示すように、容器本体２のフランジ２ｃに、このフランジ２ｃの外周縁から張り出して設けられる延出部分３ａを形成しておき、この延出部分３ａに、表素材３の剥がし代を設けている。
【００４１】
より詳しくは、図５に示すように、このフランジ２ｃの一部を兼ねるこの延出部分３ａを切除するための脆弱線（脆弱部）ｄをフランジ２ｃ側に形成し、さらにこの脆弱線ｄが形成されるフランジ２ｃの局所を覆うように表素材３を接着固定しておき、表素材３を剥がし取る際には、この脆弱線ｄで延出部分３ａを切除した後、この切除した延出部分３ａと共に表素材３の剥離作業に移る。
【００４２】
つまり、脆弱線ｄを覆うように表素材３を接着しておくことで、この脆弱線ｄでの切除後においても、その切除された箇所と容器本体２は、表素材３によって未だ連結された状態にある。よって、図７に示すように表素材３の剥離にあたり、この切除された箇所を手指等で把持して表素材３を容器本体２側に引き剥がせば、表素材３を剥がす際の開始位置すなわち剥がし代を容易に形成することが可能になる。
【００４３】
なお、上記した実施の形態は、あくまでも一実施の形態であり、その詳細は、所望に応じて変更可能である。
まず、上記の実施の形態では、表素材３と容器本体２の離型性を確保すべく、表素材３の表面に離型促進剤ｒを塗布して離型層を形成しているが、例えば、容器本体２の基材となる樹脂材料に離型促進剤を含有しておき、この離型促進剤を含有した樹脂材料を金型内に射出して射出成形容器を形成する。
【００４４】
この製造方法で製造された射出成形容器は、容器本体の基材となる樹脂材料に離型促進剤が含有されているため、成形後において容器本体と表素材とが互いに強く接着せず、表素材を容器本体から容易に剥がし取ることが可能になる。
【００４５】
このように本発明によれば、容器本体２の基材をなす樹脂材料に離型促進剤を含有させブリードアウトすることで容器本体２と表素材３の異種系樹脂積層の離型を容易に行うとともに、容器本体と表素材との間に離型促進剤ｒを用いて離型層を形成する。よって、容器の使用後に、容器本体２から表素材３を剥ぎ取るといった簡易な作業で、容器本体２と表素材３の分別回収が可能になる。また、好ましくは、表素材３の外表面に離型促進剤ｒを塗布し、さらに加えて容器本体２の基材をなす樹脂材料にも離型促進剤ｒを含有させておくとよい。
【００４６】
また、本実施の形態に示す射出成形容器１は、表素材３として樹脂量の少ないフィルム
状の表素材３を積極的に用いることができるため、例えば、油分や塗料で汚れた表素材３を容器本体２から剥ぎ取り、この表素材３をまるごと廃棄するなどの処分方法をも採用できるようになる。つまり、表素材３の汚れを洗い流すことで生じる汚水の処理に較べ、樹脂量の少ないフィルム状の表素材３を消却する方が環境への影響が少なく、分離回収に加え、この点においても環境改善に貢献することができる。
【００４７】
また、容器の機械的強度を確保するために必要な最低限の樹脂量を考慮した場合、本発明の射出成形容器１では、容器全体を占める樹脂量において、汚れに触れる表素材３の樹脂の量が僅かであるため、容器の大部分をリサイクル可能な樹脂として回収することが可能になる。
【図面の簡単な説明】
【００４８】
【図１】本実施の形態に係る射出成形容器の斜視図である。
【図２】本実施の形態に係る表素材を金型に装着した状態を示す説明図である。
【図３】本実施の形態に係る射出成形容器の射出成形工程を説明した説明図である。
【図４】本実施の形態に係る表素材の外表面全体に離型促進剤を塗布した状態を示す図である。
【図５】本実施の形態に示す射出成形容器のフランジを示す要部拡大断面図である。
【図６】フランジの脆弱部においてフランジの一部を切除した状態を示す図である。
【図７】表素材を容器本体から剥離している状態を示す図である。
【符号の説明】
【００４９】
１  射出成形容器
２  容器本体
２ａ  底部
２ｂ  胴部
２ｃ  フランジ
３  表素材
３ａ  延出部分
１０  金型
１０ａ  雌型
１０ｂ  雄型
１０ｃ  中空部
１１  ゲート
１２  バキューム通路
ｄ  脆弱線
ｒ  離型促進剤
【図１】
2005206188.tif 000003
【図２】
2005206188.tif 000004
【図３】
2005206188.tif 000005
【図４】
2005206188.tif 000006
【図５】
2005206188.tif 000007
【図６】
2005206188.tif 000008
【図７】
2005206188.tif 000009